(57)【要約】【課題】カラー判定に関して位置ズレに起因する偽色の影響を低減することができる画像読取装置を提供する。【解決手段】原稿画像における同一ラインとして、複数のラインセンサ３３によりそれぞれ取得された複数のライン画像が対応する原稿上の位置の相互間で、位置ズレが生じるか否かが、変倍率に基づいてズレ判定部７１により判定される。そして、位置ズレが生じる場合はカラー判定に用いる閾値が閾値変更部７２により変更され、位置ズレが生じない場合と比較してモノクロ画像と判定されやすくなる。このため、カラー判定に関して位置ズレに起因する偽色の影響を低減でき、偽色によってカラー画像と誤判定されることを有効に防止できる。【選択図】図６
2008219465.tif 000002
【特許請求の範囲】
【請求項１】
原稿を読み取って原稿画像を取得する画像読取装置であって、
所定の間隔で互いに平行に設けられ、前記原稿画像に用いる互いに異なる色成分のライン画像を取得する複数のラインセンサと、
前記原稿画像における同一ラインとして、前記複数のラインセンサによりそれぞれ取得された複数のライン画像が対応する前記原稿上の位置の相互間で、位置ズレが生じるか否かを判定するズレ判定手段と、
前記原稿画像がカラー画像かモノクロ画像かを判定するカラー判定手段と、
前記ズレ判定手段の判定結果に応じて、前記カラー判定手段が判定に用いる閾値を変更する閾値変更手段と、
を備えることを特徴とする画像読取装置。
【請求項２】
請求項１に記載の画像読取装置において、
前記閾値変更手段は、前記閾値を変更して、前記位置ズレがある場合は前記位置ズレがない場合と比較して前記カラー判定手段が前記モノクロ画像と判定しやすくすることを特徴とする画像読取装置。
【請求項３】
請求項１または２に記載の画像読取装置において、
前記ズレ判定手段が、前記複数のライン画像のうちいずれか一のライン画像のみについて、他のライン画像に対し前記位置ズレが生じると判定したとき、
前記閾値変更手段は、当該一のライン画像の色成分に相当する色に係る閾値を変更することを特徴とする画像読取装置。
【請求項４】
請求項３に記載の画像読取装置において、
前記閾値変更手段は、前記一のライン画像の色成分に相当する色の補色に係る閾値を変更することを特徴とする画像読取装置。
【請求項５】
請求項１ないし４のいずれかに記載の画像読取装置において、
前記カラー判定手段は、
前記原稿画像を区分して得られる複数のブロックのそれぞれが示す色を、所定の複数の判定色のうちから判定するブロック判定手段と、
前記ブロック判定手段の判定結果に基づいて、前記複数の判定色のそれぞれに関して該判定色を示す前記ブロックの数を計数するブロック計数手段と、
前記複数の判定色のそれぞれに関して、該判定色を示す前記ブロックの数と所定の第１閾値とを比較し、その比較結果に基づいて前記原稿画像がカラー画像かモノクロ画像かを判定する画像判定手段と、
を備えることを特徴とする画像読取装置。
【請求項６】
請求項５に記載の画像読取装置において、
前記ブロック判定手段は、
対象となるブロックに含まれる複数の単位データのそれぞれが示す色が、前記複数の判定色のうちのいずれであるかを判定する単位データ判定手段と、
前記単位データ判定手段の判定結果に基づいて、前記複数の判定色のそれぞれに関して該判定色を示す前記単位データの数を計数する単位データ計数手段と、
前記複数の判定色のそれぞれに関して、該判定色を示す前記単位データの数と所定の第２閾値とを比較し、その比較結果に基づいて前記ブロックが示す色を判定する色判定手段と、
を備えることを特徴とする画像読取装置。
【請求項７】
請求項６に記載の画像読取装置において、
前記複数の判定色は、有彩色及び無彩色を含み、
前記閾値変更手段は、前記単位データ判定手段が、前記有彩色と前記無彩色とを区別するために用いる閾値を変更することを特徴とする画像読取装置。
【請求項８】
請求項６または７に記載の画像読取装置において、
前記閾値変更手段は、前記第２閾値を変更することを特徴とする画像読取装置。
【請求項９】
請求項５ないし８のいずれかに記載の画像読取装置において、
前記閾値変更手段は、前記第１閾値を変更することを特徴とする画像読取装置。
【発明の詳細な説明】
【技術分野】
【０００１】
本発明は、原稿を読み取って原稿画像を取得する画像読取装置に関する。
【背景技術】
【０００２】
原稿を読み取って原稿画像を取得する画像読取装置である複合機などにおいては、取得された原稿画像がカラー画像であるかモノクロ画像であるかを自動的に判定する技術が従来より提案されている。
【０００３】
例えば、原稿画像を複数のブロックに区分し、各ブロックに含まれる色を代表するブロック色を判定し、画像中におけるブロック色の数を計数した結果に基づいて、当該画像がカラー画像かモノクロ画像かを判定する技術が提案されている（例えば、特許文献１参照。）。
【０００４】
なお、本発明に関連する技術を開示する先行技術文献として、下記の文献がある。
【０００５】
【特許文献１】特許第３０６４８９６号公報
【特許文献２】特開２００５−１２４１４１号公報
【発明の開示】
【発明が解決しようとする課題】
【０００６】
ところで一般に、複合機は三原色（ＲＧＢ）に対応する３つのラインセンサを所定の間隔を隔てて互いに平行に備えている。このため、３つのラインセンサが同時に読み取る原稿上の位置は異なる。これに対応するため、３つのラインセンサのそれぞれで得られるライン画像の出力時期は、遅延回路等を利用して調整される。これにより、原稿画像の同一ラインに用いるＲＧＢの３つのライン画像について、対応する原稿上の位置が一致されるようになっている。
【０００７】
しかしながら、コピー機能の変倍率（より一般には、読み取り解像度）が変更されると、変倍率によっては、原稿画像の同一ラインに用いる３つのライン画像が対応する原稿上の位置の相互間で位置ズレが生じることがある。そして、位置ズレが発生すると、原稿には本来存在しない偽色が原稿画像中に発生する。
【０００８】
このような偽色が発生すると、上記のような原稿画像がカラー画像であるかモノクロ画像であるかのカラー判定に際して偽色の影響を受けることになる。このため、原稿画像が実際にはモノクロ画像であるのに、偽色の影響でカラー画像であるとの誤判定を行う可能性がある。
【０００９】
本発明は、上記課題に鑑みてなされたものであり、カラー判定に関して位置ズレに起因する偽色の影響を低減することができる画像読取装置を提供することを目的とする。
【課題を解決するための手段】
【００１０】
上記課題を解決するため、請求項１の発明は、原稿を読み取って原稿画像を取得する画像読取装置であって、所定の間隔で互いに平行に設けられ、前記原稿画像に用いる互いに異なる色成分のライン画像を取得する複数のラインセンサと、前記原稿画像における同一ラインとして、前記複数のラインセンサによりそれぞれ取得された複数のライン画像が対応する前記原稿上の位置の相互間で、位置ズレが生じるか否かを判定するズレ判定手段と、前記原稿画像がカラー画像かモノクロ画像かを判定するカラー判定手段と、前記ズレ判定手段の判定結果に応じて、前記カラー判定手段が判定に用いる閾値を変更する閾値変更手段と、を備えている。
【００１１】
また、請求項２の発明は、請求項１に記載の画像読取装置において、前記閾値変更手段は、前記閾値を変更して、前記位置ズレがある場合は前記位置ズレがない場合と比較して前記カラー判定手段が前記モノクロ画像と判定しやすくする。
【００１２】
また、請求項３の発明は、請求項１または２に記載の画像読取装置において、前記ズレ判定手段が、前記複数のライン画像のうちいずれか一のライン画像のみについて、他のライン画像に対し前記位置ズレが生じると判定したとき、前記閾値変更手段は、当該一のライン画像の色成分に相当する色に係る閾値を変更する。
【００１３】
また、請求項４の発明は、請求項３に記載の画像読取装置において、前記閾値変更手段は、前記一のライン画像の色成分に相当する色の補色に係る閾値を変更する。
【００１４】
また、請求項５の発明は、請求項１ないし４のいずれかに記載の画像読取装置において、前記カラー判定手段は、前記原稿画像を区分して得られる複数のブロックのそれぞれが示す色を、所定の複数の判定色のうちから判定するブロック判定手段と、前記ブロック判定手段の判定結果に基づいて、前記複数の判定色のそれぞれに関して該判定色を示す前記ブロックの数を計数するブロック計数手段と、前記複数の判定色のそれぞれに関して、該判定色を示す前記ブロックの数と所定の第１閾値とを比較し、その比較結果に基づいて前記原稿画像がカラー画像かモノクロ画像かを判定する画像判定手段と、を備えている。
【００１５】
また、請求項６の発明は、請求項５に記載の画像読取装置において、前記ブロック判定手段は、対象となるブロックに含まれる複数の単位データのそれぞれが示す色が、前記複数の判定色のうちのいずれであるかを判定する単位データ判定手段と、前記単位データ判定手段の判定結果に基づいて、前記複数の判定色のそれぞれに関して該判定色を示す前記単位データの数を計数する単位データ計数手段と、前記複数の判定色のそれぞれに関して、該判定色を示す前記単位データの数と所定の第２閾値とを比較し、その比較結果に基づいて前記ブロックが示す色を判定する色判定手段と、を備えている。
【００１６】
また、請求項７の発明は、請求項６に記載の画像読取装置において、前記複数の判定色は、有彩色及び無彩色を含み、前記閾値変更手段は、前記単位データ判定手段が、前記有彩色と前記無彩色とを区別するために用いる閾値を変更する。
【００１７】
また、請求項８の発明は、請求項６または７に記載の画像読取装置において、前記閾値変更手段は、前記第２閾値を変更する。
【００１８】
また、請求項９の発明は、請求項５ないし８のいずれかに記載の画像読取装置において、前記閾値変更手段は、前記第１閾値を変更する。
【発明の効果】
【００１９】
請求項１ないし９の発明によれば、位置ズレが生じるか否かの判定結果に基づいてカラー判定に用いる閾値を変更するため、カラー判定に関して位置ズレに起因する偽色の影響を低減できる。
【００２０】
また、特に請求項２の発明によれば、位置ズレがある場合に閾値を変更してカラー判定手段がモノクロ画像と判定しやすくするため、偽色によってカラー画像と誤判定されることが防止される。
【００２１】
また、特に請求項３の発明によれば、位置ズレが生じる一のライン画像の色成分に相当する色に係る閾値を変更するため、カラー判定精度を向上できる。
【００２２】
また、特に請求項４の発明によれば、位置ズレが生じる一のライン画像の色成分に相当する色の補色に係る閾値をさらに変更するため、カラー判定精度をさらに向上できる。
【００２３】
また、特に請求項５及び６の発明によれば、カラー判定を容易に精度よく行うことができる。
【００２４】
また、特に請求項７の発明によれば、有彩色と無彩色とを区別するために用いる閾値を変更するため、カラー判定に関して位置ズレに起因する偽色の影響を低減できる。
【００２５】
また、特に請求項８の発明によれば、単位データの数との比較に用いる第２閾値を変更するため、カラー判定に関して位置ズレに起因する偽色の影響を低減できる。
【００２６】
また、特に請求項９の発明によれば、ブロックの数との比較に用いる第１閾値を変更するため、カラー判定に関して位置ズレに起因する偽色の影響を低減できる。
【発明を実施するための最良の形態】
【００２７】
以下では、本発明の実施の形態に係る画像読取装置の一として、ファクシミリ機能、コピー機能、スキャン機能、プリント機能などの複数の機能を有する複合機について説明する。
【００２８】
＜１．偽色の発生について＞
本発明の実施の形態に係る複合機の具体的構成と動作とを説明する前に、まず、この複合機において原稿を読み取って得られる原稿画像中に偽色が発生する原理について簡単に説明する。
【００２９】
図１は、複合機が備えるスキャナ部３の読取機構の構成を模式的に示す図である。スキャナ部３は、原稿９を読み取ってその原稿９の内容を示す原稿画像を取得する機能を担うものである。図に示すようにスキャナ部３は、原稿９が接触するコンタクトガラス３１と、互いに平行に配置された３つのラインセンサ３３と、原稿９からの光を３つのラインセンサ３３に導く光学系３２とを備えている。
【００３０】
３つのラインセンサ３３はそれぞれ、一列に並んだ複数の光電変換素子で構成され、主走査方向（図１の紙面に対して垂直な方向）に沿って配置されている。３つのラインセンサ３３にはＲ（レッド），Ｇ（グリーン），Ｂ（ブルー）の色成分のカラーフィルタがそれぞれ付されている。これにより、各ラインセンサ３３では、付されたカラーフィルタの色成分（三原色のＲＧＢのいずれか）のライン画像が取得される。
【００３１】
コンタクトガラス３１上の原稿９は、光源（図示省略）によって照明される。原稿９で反射した光は、光学系３２によってラインセンサ３３に導かれ、ラインセンサ３３においてライン画像に変換される。これにより、原稿９における主走査方向に沿った直線状の内容が各ラインセンサ３３に読み取られる。
【００３２】
スキャナ部３の読取方式には、ＦＢＳ読取方式とＡＤＦ読取方式とがある。ＦＢＳ読取方式は、コンタクトガラス３１上に原稿９を静止させ、光学系３２を移動させる方式である。一方、ＡＤＦ読取方式は、光学系３２を静止させ、ＡＤＦ（自動原稿給紙装置／図示省略）により原稿９を移動させる方式である。いずれの場合も、原稿９と光学系３２との副走査方向（図１における水平方向）の相対位置を移動させることで、原稿９の全体が走査され、原稿９の全体の内容が読み取られる。
【００３３】
３つのラインセンサ３３は、所定の間隔を隔てて配置されている。隣接するラインセンサ３３同士の間隔は、一のラインセンサ３３に含まれる光電変換素子のピッチ（隣接する光電変換素子同士の間隔）の４倍となっている。このため、同時期に３つのラインセンサ３３が読み取る原稿９上の位置は互いに異なっている。換言すれば、同時期に３つのラインセンサ３３で取得される３つのライン画像が対応する原稿９上の位置が互いに異なっているとも言える。図１の例では、Ｒのラインセンサ３３は原稿９の位置Ｐｒ、Ｇのラインセンサ３３は原稿９の位置Ｐｇ、Ｂのラインセンサ３３は原稿９の位置Ｐｂをそれぞれ読み取ることになる。
【００３４】
このような３つのラインセンサ３３それぞれの読取位置Ｐｒ，Ｐｇ，Ｐｂの相互間の間隔Ｋは、例えば読み取り解像度が６００ｄｐｉの場合に原稿画像の４ライン分に相当する。図示例では、３つのラインセンサ３３は、Ｒ，Ｇ，Ｂの順で原稿９上の先行した位置を読み取る。このため、読み取り解像度が６００ｄｐｉの場合には、Ｒのライン画像は同時期に取得されたＢのライン画像に対し８ライン分先行した位置に対応し、Ｇのライン画像は同時期に取得されたＢのライン画像に対し４ライン分先行した位置に対応することになる。なお、装置によっては、ＲＧＢのラインセンサ３３の並び順と副走査方向の相対移動方向との関係が入れ替わることがある。例えばＦＢＳ読取方式の場合とＡＤＦ読取方式の場合とで入れ替わる。
【００３５】
このように同時期に３つのラインセンサ３３が読み取る原稿９上の位置は異なることから、これらのラインセンサ３３で得られた３つのライン画像の出力時期を調整するために、スキャナ部３は、図２に示すような遅延部３４を備えている。遅延部３４は、Ｒのライン画像の出力を遅延させるための遅延回路３５と、Ｇのライン画像の出力を遅延させるための遅延回路３６とを備えている。
【００３６】
例えば読み取り解像度が６００ｄｐｉの場合には、Ｒのライン画像は遅延回路３５によって８ライン分に相当する期間だけ遅延して出力され、Ｇのライン画像は遅延回路３６によって４ライン分に相当する期間だけ遅延して出力される。これにより、原稿９上において同一位置に対応する３つのライン画像が同時に出力される。
【００３７】
このようにして同時に出力される３つのライン画像は、最終的な原稿画像における同一のライン（主走査方向に沿った画素列）とされる。すなわち、遅延部３４の処理によって、原稿画像における同一ラインに係るＲＧＢの３つのライン画像について、対応する原稿９上の位置が一致することになる。
【００３８】
ところで、複写機におけるコピー機能の変倍率を等倍（１００％）から変更した場合は、読み取り解像度が変更され、読み取りにおける原稿９と光学系３２との副走査方向に関する相対移動速度も変更される。その結果、原稿画像における同一ラインに係る３つのライン画像について、対応する原稿９上の位置が一致しないことがある。
【００３９】
ここで、変倍率が等倍（１００％）のときに読み取り解像度が６００ｄｐｉであるとする。この場合において、例えば変倍率が７０％（縮小）のときは、読み取り解像度が４２０ｄｐｉとなり、読み取りにおける相対移動速度が変倍率が等倍と比較して速くされる。このため、Ｒのラインセンサ３３の読取位置ＰｒとＢのラインセンサ３３の読取位置Ｐｂとの間隔（Ｋ×２）は５．６ライン分に相当し、Ｇのラインセンサ３３の読取位置ＰｇとＢのラインセンサ３３の読取位置Ｐｂとの間隔Ｋは２．８ライン分に相当することになる。
【００４０】
このように、変倍率を等倍から変更すると、３つのラインセンサ３３それぞれの読取位置Ｐｒ，Ｐｇ，Ｐｂの相互間の間隔Ｋが小数点以下を含む値のライン数に相当することがある。この一方で、遅延部３４の遅延はライン単位で行われる。このため、上記のように変倍率が７０％（縮小）のときに、Ｒのライン画像を６ライン分遅延させたとしても、Ｒのライン画像とＢのライン画像とで対応する原稿９上の位置に関して０．４ライン分の位置ズレが生じる。また、Ｇのライン画像を３ライン分遅延させたとしても、Ｇのライン画像とＢのライン画像とで対応する原稿９上の位置に関して０．２ライン分の位置ズレが生じる。
【００４１】
したがって、これらの３つのライン画像を原稿画像における同一のラインとすると、原稿画像における同一ラインに係る３つのライン画像が対応する原稿９上の位置の相互間で位置ズレが生じる。この位置ズレが生じることにより、原稿画像においては原稿９には本来存在しない偽色が発生することになる。
【００４２】
このような位置ズレは、設定される変倍率に応じて（より一般には、読み取り解像度に応じて）生じる。図３は、上述した３つのラインセンサ３３（読取位置の相互間の間隔が、読み取り解像度が６００ｄｐｉの場合に原稿画像の４ライン分に相当するもの）を用いた場合における、変倍率と位置ズレの量との関係を示す図である。図中において、横軸は変倍率（５０％〜１００％）を示し、縦軸は位置ズレ量をそのときの副走査方向の解像度に対する比率で示している。なお、縦軸では位置ズレの方向に応じて正負が規定されている。そして、実線Ｌ１は、Ｒのライン画像とＢのライン画像とに関する位置ズレ量を示している。一方、一点鎖線Ｌ２は、Ｇのライン画像とＲ（Ｂ）のライン画像とに関する位置ズレ量を示している。
【００４３】
図に示すように、変倍率が５０％、７５％及び１００％の場合においては、３つのライン画像のいずれに関しても位置ズレは生じない。つまりこの場合は、原稿画像において位置ズレに起因する偽色は発生しないことになる。
【００４４】
しかしながら、変倍率が６２．５％及び８７．５％の場合においては、Ｒのライン画像とＢのライン画像とに関しては位置ズレは生じないが、Ｇのライン画像のみについて他のライン画像に対して位置ズレが生じる。このためこの場合は、Ｇ（グリーン）、及び、その補色であるＭ（マゼンダ）の偽色が位置ズレに起因して発生する可能性がある。
【００４５】
さらに、その他の変倍率においては、３つのライン画像のうちのいずれの組合せに関しても位置ズレが生じる。このためこの場合は、全ての色に関して偽色が位置ズレに起因して発生する可能性がある。
【００４６】
すなわち、変倍率（より一般には、読み取り解像度）は、位置ズレの発生に関して以下の３つのグループに分類されることになる。
【００４７】
Ａグループ：位置ズレが発生しないもの（例：５０％，７５％，１００％）。
【００４８】
Ｂグループ：Ｇのライン画像に関してのみ位置ズレが発生するもの（例：６２．５％，８７．５％）。
【００４９】
Ｃグループ：全てのライン画像の相互間に関して位置ズレが発生するもの。
【００５０】
このような変倍率と位置ズレ量との関係は予め把握することが可能である。なお、図３の例では変倍率が縮小の場合について示しているが、変倍率が拡大の場合についても変倍率と位置ズレ量との関係を予め把握することがもちろん可能である。したがって、変倍率に基づいて、位置ズレが生じるか否か、すなわち、原稿画像において偽色が発生するか否かを把握することが可能である。なお、場合によっては「変倍率」は、「副走査方向の相対移動速度の変更によって実現される変倍率」と、「デジタル処理による変倍率」とを併せたものとなる。すなわち、モータの性能等の原因により、全ての「変倍率」を前者だけで実現できない場合、両者を併せて実現されることがある。このように両者を併せて「変倍率」を実現する場合、位置ズレ量と関係するのは「副走査方向の相対移動速度の変更によって実現される変倍率」のみとなる。
【００５１】
以下、本発明の実施の形態に係る複合機の具体的構成と動作とを説明するが、この複合機では、以上説明したような原理を利用して、変倍率に基づいて位置ズレが生じるか否か（原稿画像において偽色が発生するか否か）が判断されるようになっている。
【００５２】
＜２．装置構成＞
図４は、本発明の実施の形態に係る複合機１の外観構成を示す斜視図である。この複合機１は、「ＭＦＰ装置」とも呼ばれ、前述のように、ファクシミリ機能、コピー機能、スキャン機能、プリント機能などの複数の機能を有している。
【００５３】
ファクシミリ機能は、公衆電話交換網やネットワークを介して相手先装置との間で画像を送受信する機能である。コピー機能は、原稿を読み取って画像を取得し、その画像を記録用紙に印刷して原稿の内容を複写する機能である。また、スキャン機能は原稿を読み取って画像を取得し、その画像を内部に記憶する機能である。さらに、プリント機能は、画像を記録用紙に印刷する機能である。
【００５４】
図に示すように、複合機１は、本体部１０と、本体部１０に対して閉開可能でＡＤＦ３８を有するブックカバー３９とを備えている。また、本体部１０の上部の前面側には、ユーザインターフェイスとなる操作パネル２が設けられている。操作パネル２は、ユーザが操作可能な複数のスイッチで構成される操作部２１と、各種情報を表示する液晶ディスプレイなどで構成される表示部２２とを備えている。表示部２２は、タッチパネル機能を有しており、ユーザの操作を受け付ける機能の一部を担うようにもなっている。すなわち、各種コマンドやデータの入力などのユーザ操作は、操作パネル２の全体により受け付けられる。コピー機能の変倍率は、この操作パネル２を介してユーザが所望に設定可能とされている。
【００５５】
複合機１の本体部１０の上部には原稿を読み取るためのスキャナ部３が設けられる。このスキャナ部３は、前述した図１に示す読取機構と、図２に示す遅延部３４とを備えている。
【００５６】
また、本体部１０の内部には記録用紙に印刷を行うプリンタ部４が設けられている。プリンタ部４は、電子写真方式の印刷機構などで構成され、印刷対象となる画像に基づいて記録用紙に印刷を行う。記録用紙は、プリンタ部４の下部に設けられる給紙部４１から供給される。プリンタ部４では、印刷に用いる色材として、Ｃ（シアン），Ｍ（マゼンダ），Ｙ（イエロー），Ｋ（ブラック）の４色のトナーが利用される。
【００５７】
図５は、複合機１の内部構成を模式的に示すブロック図である。図に示すように、複合機１は、装置制御を担うコンピュータを内蔵している。より具体的には、複合機１は、ＣＰＵ１１、ＲＯＭ１２及びＲＡＭ１３を備えている。ＲＯＭ１２にはファームウェアとしてのプログラム９０が格納されており、このプログラム９０に従って、主制御部としてのＣＰＵ１１が演算処理を行うことにより、複合機１の各部を制御するための各種機能が実現される。ＲＡＭ１３は、ＣＰＵ１１による演算処理における作業領域として利用される。
【００５８】
このプログラム９０は、予めＲＯＭ１２内に格納されるものであるが、プログラムを記録した記録媒体からの読み取りや、ネットワーク９２を介した外部サーバからのダウンロードなどにより、新たなプログラム９０をＲＯＭ１２内に格納することも可能となっている。
【００５９】
ＣＰＵ１１は、バスライン１９を介して、上述した操作パネル２、スキャナ部３、及び、プリンタ部４等の複合機１の各部に電気的に接続されている。これにより、これら各部はＣＰＵ１１によって制御される。また、操作パネル２に受け付けられたユーザ操作は信号としてＣＰＵ１１に入力され、これにより複合機１はユーザ操作に応じた動作を行う。
【００６０】
また、複合機１は、画像メモリ１４と、画像処理部１５と、ＮＣＵ１６と、モデム１７と、データ通信部１８とをさらに備えている。
【００６１】
画像メモリ１４は、ハードディスクやフラッシュメモリなどで構成される不揮発性の記憶装置である。画像メモリ１４には、スキャナ部３で得られた画像や、ファクシミリ通信によって受信した画像などが記憶される。
【００６２】
画像処理部１５は、スキャナ部３で得られた画像やプリンタ部４により印刷される画像など、処理の対象となる画像に対して所定の処理を行うハードウェア回路である。
【００６３】
ＮＣＵ１６及びモデム１７は、公衆電話交換網９１を介したファクシミリ機能を実現する処理部である。すなわち、ＮＣＵ１６は、アナログの公衆電話交換網の直流ループの閉結及び開放などの動作を行うハードウェア回路であり、必要に応じてモデム１７を公衆電話交換網に接続する。また、モデム１７は、ファクシミリ通信用に画像データの変調及び復調を行う。
【００６４】
また、データ通信部１８は、インターネットやＬＡＮなどのネットワーク９２を介して通信を行うインターフェイスである。このデータ通信部１８により、ネットワーク９２に接続された外部装置とのデータ通信機能や、インターネットファクシミリ装置としての通信機能が実現される。
【００６５】
これらの画像メモリ１４、画像処理部１５、ＮＣＵ１６、モデム１７、及び、データ通信部１８の各部も、バスライン１９を介してＣＰＵ１１に電気的に接続されている。このため、これら各部もＣＰＵ１１の制御下で動作する。
【００６６】
＜３．コピー機能の基本動作＞
図６は、複合機１のコピー機能の動作に関連する処理部を示すブロック図である。図中のガンマ補正部５１、解像度変換部５２、色空間変換部５３及び印刷処理部５４は、ハードウェア回路である画像処理部１５が有する機能を処理部として模式的に示している。また、図中のモード選択部６０は、ＣＰＵ１１がプログラム９０に従って演算処理を行うことにより、ソフトウェア的に実現される機能を処理部として模式的に示している。
【００６７】
コピー機能の動作が実行される場合は、まず、スキャナ部３により原稿の読み取りがなされ、原稿画像が取得される。読み取りにおける原稿と光学系３２との副走査方向に関する相対移動速度は、操作パネル２を介してユーザが設定した変倍率に従って変更される。３つのラインセンサ３３のそれぞれで取得されたライン画像は、遅延部３４によって出力時期が調整された後、画像メモリ１４に記録される。そして、原稿の全体が走査されると、画像メモリ１４において原稿画像が生成される。この原稿画像の各画素はＲＧＢで表現される。
【００６８】
取得された原稿画像は、画像処理部１５に入力され、まず、ガンマ補正部５１によりガンマ補正がなされ、次に、操作パネル２を介してユーザが設定した変倍率に従い、必要に応じて原稿画像の主走査方向の解像度が解像度変換部５２により変換される。続いて、原稿画像は色空間変換部５３に入力され、各画素の値がＲＧＢから例えばＹＣｂＣｒに色空間変換される。
【００６９】
原稿画像は、さらに画像処理部１５に入力され、プリンタ部４が印刷可能な形式に印刷処理部５４により変換される。そして、変換後の原稿画像がプリンタ部４において記録用紙に印刷され、原稿の複写がなされることになる。
【００７０】
複合機１では、このコピー機能に係る処理モードとして「カラーモード」と「モノクロモード」とを有している。「カラーモード」のときは、印刷処理部５４の処理により、原稿画像の各画素の値がＹＣｂＣｒからＣＭＹＫに変換され、ＣＭＹＫの全てのトナーを用いたフルカラー印刷がなされる。一方、「モノクロモード」のときは、印刷処理部５４の処理により、原稿画像の各画素の値（ＹＣｂＣｒ）のうちのＹがＫに変換され、Ｋのみのトナーを用いたモノクロ印刷がなされる。
【００７１】
このような処理モードは、モード選択部６０により選択される。処理対象となる原稿画像（スキャナ部３により得られた状態のままの原稿画像）は、画像メモリ１４とともにモード選択部６０にも入力される。モード選択部６０は、このようにして入力された原稿画像がカラー画像であるかモノクロ画像であるかのカラー判定を行う。そして、モード選択部６０は、カラー画像であれば「カラーモード」、モノクロ画像であれば「モノクロモード」を処理モードとして選択し、その選択した処理モードを印刷処理部５４に入力する。
【００７２】
図に示すように、モード選択部６０は、平均部６１、ガンマ補正部６２、色空間変換部６３、ブロック処理部６４、ブロック計数部６８及び画像色判定部６９を備えている。また、ブロック処理部６４は、単位データ判定部６５、単位データ計数部６６、及び、ブロック色判定部６７を備えている。これらの機能により、原稿画像がカラー画像かモノクロ画像かを判定するカラー判定が実現される。
【００７３】
また、モード選択部６０は、ズレ判定部７１及び閾値変更部７２をさらに備えている。ズレ判定部７１は、原稿画像における同一ラインに係る３つのライン画像が対応する原稿９上の位置の相互間で位置ズレが生じるか否かを判定する。また、閾値変更部７２は、ズレ判定部７１の判定結果に応じて、単位データ判定部６５、ブロック色判定部６７及び画像色判定部６９が用いる閾値を変更することになる。
【００７４】
＜４．カラー判定処理＞
図７は、モード選択部６０によって実現されるカラー判定処理の流れを示す図である。以下、図６及び図７の双方を参照して、原稿画像がカラー画像かモノクロ画像かを判定するカラー判定処理の流れについて説明する。
【００７５】
まず、原稿画像における同一ラインとされた３つのライン画像において、対応する原稿上の位置の相互間で位置ズレが生じているか否かがズレ判定部７１により判定される。ＲＯＭ１２には、変倍率と位置ズレ量との関係（図３のグラフと同様の内容）を示したテーブルデータである位置ズレテーブルＴが記憶されている。操作パネル２において設定された変倍率に基づいて、この位置ズレテーブルＴが参照されることで、当該変倍率において位置ズレが生じるか否か（すなわち、原稿画像において偽色が生じるか否か）がズレ判定部７１により判定される。より具体的には、当該変倍率が、上述したＡ〜Ｃグループのいずれであるかが判定されることになる（ステップＳ１１）。
【００７６】
次に、ズレ判定部７１の判定結果に基づいて、カラー判定に用いる閾値が閾値変更部７２により必要に応じて変更される。位置ズレがある場合は原稿画像中に偽色が発生していることから、この偽色の影響を受けて、原稿画像がカラー画像であると誤判定されるおそれがある。このため、閾値変更部７２は、カラー判定に用いる閾値を変更し、位置ズレがある場合は位置ズレがない場合と比較して、モノクロ画像と判定しやすくする。いずれの閾値をどのように変更するかの具体的内容については後述する（ステップＳ１２）。
【００７７】
次に、カラー判定を行う前の判定前処理として、原稿画像に対して、平均部６１による平均化処理、ガンマ補正部６２によるガンマ補正処理、及び、色空間変換部６３による色空間変換処理がなされる（ステップＳ１３）。
【００７８】
平均部６１では、原稿画像中の互いに隣接する縦（副走査方向）２×横（主走査方向）２の４画素が一つの画素集合とされる。そして、原稿画像に含まれる画素集合の全てに関して画素の値が平均される。これにより画素集合ごとに得られる平均値は、以降の処理において、原稿画像において一つの色を示す単位の要素とされる。以下、この画素集合ごとの平均値を「単位データ」という。単位データは、ＲＧＢで表現された画素の値の平均値であるため、ＲＧＢで表現されたものとなる。なお、このような平均化処理を行わずに、一つの色を示す単位データとして原稿画像の画素をそのまま用いてもよい。
【００７９】
平均化処理がなされた原稿画像は、単位データを対象にガンマ補正部６２によりガンマ補正がなされる。その後、色空間変換部６３により、各単位データの値がＲＧＢから例えばＬａｂ（明度Ｌと色度ａ，ｂ）に色空間変換される。
【００８０】
これらの判定前処理がなされた原稿画像は、次に、ブロック処理部６４に入力される。ブロック処理部６４では、原稿画像を区分して得られる複数のブロックそれぞれを対象にし、ステップＳ１５〜Ｓ１７に示す処理がブロックごとになされる。複数のブロックのそれぞれは、原稿画像を形成する要素となる。
【００８１】
本実施の形態では、原稿画像における例えば縦３０×横３０の計９００個の単位データが一つのブロックとされる。この一つのブロックは、スキャナ部３において例えば６００ｄｐｉで読み取りを行って縦２×横２の４画素を平均して単位データを得た場合において、原稿中の縦５ｍｍ×横５ｍｍの領域に相当する。したがって、例えばＡ４の原稿のサイズは２１０ｍｍ×２９７ｍｍであるため、Ａ４の原稿から得られた原稿画像は４２個×６０個の計２５２０個のブロックに区分されることになる。
【００８２】
ブロック処理部６４による処理では、まず、原稿画像に含まれる複数のブロックから一つのブロックが注目ブロックとして選択される。以降、この注目ブロックが処理の対象とされる（ステップＳ１４）。
【００８３】
次に、単位データ判定部６５により、注目ブロックに含まれる９００個の単位データのそれぞれに関して、単位データが示す一つの色が、有彩色の６色及び無彩色の７つの判定色のうちから判定される。本実施の形態では、有彩色の判定色として、色の３原色たるＣ，Ｍ，Ｙと、光の３原色たるＲ，Ｇ，Ｂとの６色が採用されている。この単位データの色の判定手法については後に詳述する（ステップＳ１５）。
【００８４】
次に、その判定結果に基づいて、単位データ計数部６６により、７つの判定色のそれぞれに関してその判定色を示す単位データの数が計数される。すなわち、Ｃを示す単位データの数、Ｍを示す単位データの数、Ｙを示す単位データの数、Ｒを示す単位データの数、Ｇを示す単位データの数、Ｂを示す単位データの数、及び、無彩色を示す単位データの数がそれぞれ導出される（ステップＳ１６）。
【００８５】
次に、その計数結果に基づいて、ブロック色判定部６７により、注目ブロックが示す色が判定される。具体的には、７つの判定色のそれぞれに関して、その判定色を示す単位データの数と所定の閾値（以下、「ブロック判定閾値」という。）とが比較される。
【００８６】
この比較により、単位データの数がブロック判定閾値を超える判定色があれば、その判定色が注目ブロックが示す色として判定される。したがって、７つの判定色のうちの一つの色のみが注目ブロックが示す色として判定される場面もあり、また、複数の色が注目ブロックが示す色として判定される場面もある。例えば、Ｃに係る単位データの数のみがブロック判定閾値を超え、他の判定色に係る単位データの数がブロック判定閾値以下のときには、注目ブロックが示す色はＣの１色であると判定される。一方、ＣとＹとＧとに係る単位データの数がそれぞれブロック判定閾値を超え、他の判定色に係る単位データの数がブロック判定閾値以下のときには、注目ブロックが示す色はＣ，Ｙ及びＧの３色であると判定される。そして、その判定結果を示すように、７つの判定色それぞれに対応する７つの色フラグが設定される。この色フラグには、注目ブロックが、対応する色を示すときは「１」、対応する色を示さないときは「０」が設定される（ステップＳ１７）。
【００８７】
ブロック判定閾値は、判定色ごとに存在しており、ステップＳ１２において閾値変更部７２による変更の対象とされる。具体的には、変倍率がＡグループの場合は、偽色が発生しないことから、予めＲＯＭ１２などに記憶された基準値がそのままブロック判定閾値として利用される。
【００８８】
しかしながら、変倍率がＢグループの場合はＧ及びＭの偽色が発生する可能性がある。このため、Ｇ及びＭに係るブロック判定閾値については基準値よりも高く設定される。これにより、Ｇ及びＭの偽色が発生したとしても、その偽色が注目ブロックが示す色として判定されにくくなる。その結果、原稿画像がモノクロ画像と判定されやすくなる。
【００８９】
また、変倍率がＣグループの場合は全ての色に関して偽色が発生する可能性がある。このため、有彩色の全ての色に係るブロック判定閾値が基準値よりも高く設定される。これにより、いずれの色の偽色が発生したとしても、その偽色が注目ブロックが示す色として判定されにくくなる。その結果、原稿画像がモノクロ画像と判定されやすくなる。
【００９０】
以上のようにして、一の注目ブロックに関して色の判定がなされると、未判定のブロックが存在しているか否かが判断される。そして、存在していた場合は（ステップＳ１８にてＮｏ）、次の注目ブロックが決定され（ステップＳ１４）、この新たな注目ブロックに関して上記と同様の処理（ステップＳ１５〜Ｓ１７）が繰り返されて色の判定がなされる。このような処理が繰り返され、最終的に原稿画像に含まれる全てのブロックに関して色の判定がなされる。すなわち、全てのブロックのそれぞれに関して７つの色フラグの設定がなされることになる。
【００９１】
全てのブロックに関して色の判定がなされると（ステップＳ１８にてＹｅｓ）、次に、その判定結果（各ブロックの色フラグ）に基づいて、ブロック計数部６８により、７つの判定色のそれぞれに関してその判定色を示すブロックの数が計数される。すなわち、Ｃを示すブロックの数、Ｍを示すブロックの数、Ｙを示すブロックの数、Ｒを示すブロックの数、Ｇを示すブロックの数、Ｂを示すブロックの数、及び、無彩色を示すブロックの数がそれぞれ導出される。一つのブロックが複数の色を示すこともあるため、一つのブロックが複数の判定色に関して計数されることもあり得る（ステップＳ１９）。
【００９２】
次に、その計数結果に基づいて、画像色判定部６９により、原稿画像がカラー画像であるかモノクロ画像であるかが判定される。具体的には、７つの判定色のそれぞれに関して、その判定色を示すブロックの数と所定の閾値（以下、「画像判定閾値」という。）とが比較される。この比較により、単位データの数が画像判定閾値を超える判定色があれば、その判定色が原稿画像中に存在していると判断される（ステップＳ２０）。
【００９３】
そして、少なくとも１つの有彩色の判定色が原稿画像中に存在していると判断された場合には（ステップＳ２１にてＹｅｓ）、原稿画像はカラー画像であると判定される（ステップＳ２２）。逆に、有彩色である６つの判定色のいずれも原稿画像中に存在していないと判断された場合は（ステップＳ２１にてＮｏ）、原稿画像はモノクロ画像であると判定されることになる（ステップＳ２３）。
【００９４】
画像判定閾値は、判定色ごとに存在しており、ステップＳ１２において閾値変更部７２による変更の対象とされる。具体的には、変倍率がＡグループの場合は、偽色が発生しないことから、予めＲＯＭ１２などに記憶された基準値がそのまま画像判定閾値として利用される。
【００９５】
しかしながら、変倍率がＢグループの場合はＧ及びＭの偽色が発生する可能性がある。このため、Ｇ及びＭに係る画像判定閾値については基準値よりも高く設定される。これにより、Ｇ及びＭの偽色が発生したとしても、その偽色が原稿画像中に存在していると判断されにくくなる。その結果、原稿画像がモノクロ画像と判定されやすくなる。
【００９６】
また、変倍率がＣグループの場合は全ての色に関して偽色が発生する可能性がある。このため、有彩色の全ての色に係る画像判定閾値が基準値よりも高く設定される。これにより、いずれの色の偽色が発生したとしても、その偽色が原稿画像中に存在していると判断されにくくなる。その結果、原稿画像がモノクロ画像と判定されやすくなる。
【００９７】
＜５．単位データの色判定手法＞
次に、ステップＳ１５における単位データの色の判定手法について説明する。この判定に際しては、まず、Ｌａｂで表現された各単位データの値のうち色度ａ，ｂに所定の変換処理がなされて、色相及び彩度に関するパラメータ（以下、「色パラメータ」という。）であるａ３，ｂ３が取得される。これにより、各単位データの値は、明度Ｌと色パラメータａ３，ｂ３とで表現される。
【００９８】
そして、図８に示すように、横軸がａ３、縦軸がｂ３となる直交二次元座標系を有する色平面Ｈが用いられ、単位データの色パラメータで示される座標位置（ａ３，ｂ３）が、色平面Ｈのいずれの位置に存在するかで単位データの色が判定される。この色平面Ｈを定義するデータは、予めＲＯＭ１２などに記憶されている。
【００９９】
この色平面Ｈは、色相及び彩度に係るＬａｂ色度図と同様の性質を有しており、原点Ｏを中心に放射状に各色が配置されており、原点Ｏからの向きが色相を示し、原点Ｏからの距離が彩度を示すことになる。
【０１００】
色平面Ｈの原点Ｏ及びその近傍はおおよそ無彩色となる。このため、色平面Ｈの原点Ｏ近傍には、有彩色と無彩色との境界を示す彩度境界線Ｄ０が、２つ座標軸のいずれかに平行になるように設定されている。つまり、この彩度境界線Ｄ０の内側は無彩色を示す無彩領域ｍＡとなり、彩度境界線Ｄ０の外側は有彩色を示す有彩領域となる。単位データの色パラメータで示される座標位置（ａ３，ｂ３）が、無彩領域ｍＡに存在すれば単位データの色は無彩色と判定される。
【０１０１】
また、彩度境界線Ｄ０の外側の領域には、色相の境界を示す６つの色相境界線Ｄ１〜Ｄ６が、原点Ｏから放射状に設定されている。これらの色相境界線Ｄ１〜Ｄ６により、有彩領域が、有彩色の６つの判定色Ｃ，Ｍ，Ｙ，Ｒ，Ｇ，Ｂにそれぞれ対応する６つの色領域ｍＣ，ｍＭ，ｍＹ，ｍＲ，ｍＧ，ｍＢに区分される。具体的には、色相境界線Ｄ１は色領域ｍＲと色領域ｍＹとの境界となり、色相境界線Ｄ２は色領域ｍＹと色領域ｍＧとの境界となり、色相境界線Ｄ３は色領域ｍＧと色領域ｍＣとの境界となり、色相境界線Ｄ４は色領域ｍＣと色領域ｍＢとの境界となり、色相境界線Ｄ５は色領域ｍＢと色領域ｍＭとの境界となり、色相境界線Ｄ６は色領域ｍＭと色領域ｍＲとの境界となる。
【０１０２】
単位データの色パラメータで示される座標位置（ａ３，ｂ３）が、色領域ｍＣ，ｍＭ，ｍＹ，ｍＲ，ｍＧ，ｍＢのいずれかに存在すれば、単位データの色はその存在する色領域に対応する判定色と判定される。例えば、色パラメータで示される座標位置（ａ３，ｂ３）が色領域ｍＣに存在すれば、単位データの色はＣと判定されることになる。
【０１０３】
ここで、彩度境界線Ｄ０は、所定の閾値（以下、「無彩判定閾値」という。）に基づき、この無彩判定閾値に相当する距離ｗだけ原点Ｏから離れるように設定されている。つまり、無彩判定閾値は、有彩色と無彩色とを区別するために用いる閾値となる。
【０１０４】
この無彩判定閾値は、有彩色の６つの判定色ごとに存在しており、ステップＳ１２において閾値変更部７２による変更の対象とされる。具体的には、変倍率がＡグループの場合は、偽色が発生しないことから、予めＲＯＭ１２などに記憶された基準値がそのまま無彩判定閾値として利用される（図８の状態。）。
【０１０５】
しかしながら、変倍率がＢグループの場合はＧ及びＭの偽色が発生する可能性がある。このため、Ｇ及びＭに係る無彩判定閾値については基準値よりも高く設定される。これにより、図９に示すようにＧ及びＭに係る彩度境界線Ｄ０が、図８の場合と比較して、原点Ｏから離れるように設定される。したがって、Ｇ及びＭの偽色が発生したとしても、その偽色が単位データの色として判定されにくくなり、単位データの色は無彩色と判定されやすくなる。その結果、原稿画像がモノクロ画像と判定されやすくなる。
【０１０６】
また、変倍率がＣグループの場合は全ての色に関して偽色が発生する可能性がある。このため、有彩色の全ての色に係る無彩判定閾値が基準値よりも高く設定される。これにより、図１０に示すように有彩色の全ての色に係る彩度境界線Ｄ０が、図８の場合と比較して、原点Ｏから離れるように設定される。したがって、いずれの色の偽色が発生したとしても、その偽色が単位データの色として判定されにくくなり、単位データの色は無彩色と判定されやすくなる。その結果、原稿画像がモノクロ画像と判定されやすくなる。
【０１０７】
なお、図８ないし図１０に示す色平面Ｈは、一般的なＬａｂ表色系の色度図に対して回転変換、スケーリング変換などのアフィン変換を行うことで得られる。以下、この手法について説明する。図１１は色平面Ｈを取得する手法を説明する図である。図１１において左に示す色平面Ｈ０は、一般的なＬａｂ表色系の色度図に相当し、横軸がａ、縦軸がｂとなる直交二次元座標系を有している。
【０１０８】
まず、Ｌａｂ表色系に係る色平面Ｈ０に対して、色相境界線Ｄ１〜Ｄ６が設定される。この色相境界線Ｄ１〜Ｄ６は人間の感覚に基づいて設定すればよいが、原点Ｏに関しておおよそ対称となる色相境界線の対は一直線となるように設定される。
【０１０９】
次に、縦軸に近い色相境界線Ｄ１，Ｄ４が縦軸に一致するように、原点Ｏを中心に色相全体が回転変換される。これにより、図１１において中央に示す色平面Ｈ１が得られる。この色平面Ｈ１は、横軸がａ２、縦軸がｂ２となる直交二次元座標系を有している。
【０１１０】
次に、縦軸と一致していない色相境界線Ｄ２，Ｄ３，Ｄ５，Ｄ６が座標軸に対して４５度に向くように、色相全体に関して異方的スケーリング変換（縦軸方向と横軸方向とで異なる率で拡大、縮小する変換）がなされる。例えば、縦軸方向のみを拡大、あるいは、横軸方向のみを縮小する変換がなされる。これにより、図１１において右に示す色平面Ｈ２が得られる。この色平面Ｈ２は、横軸がａ３、縦軸がｂ３となる直交二次元座標系を有している。この色平面Ｈ２に対して、さらに、無彩判定閾値に応じて彩度境界線Ｄ０を設定すれば、図８ないし図１０に示す色平面Ｈが得られることになる。
【０１１１】
このようにして得られる色平面Ｈを利用して単位データの色を判定することから、Ｌａｂで表現された各単位データの値も色平面Ｈに適合するように変換する必要がある。このため、単位データの色の判定に際しては、各単位データの値のうち色度ａ，ｂに関して、色平面Ｈを得る場合と同様のアフィン変換（回転変換及び異方的スケーリング変換）がなされて、色パラメータａ３，ｂ３が取得されることになる。
【０１１２】
なお、Ｌａｂで表現されたままの単位データの値を用い、その色度で示される座標位置（ａ，ｂ）が、Ｌａｂ表色系の色度図に相当する色平面Ｈ０のいずれの位置に存在するかで単位データの色を判定してもよい。この場合は、色度の他に色パラメータを求める必要はない。ただし、一般に色平面Ｈ０では、色相境界線Ｄ１〜Ｄ６の傾きが無理数となる。このため、単位データの色の判定には逆三角関数などの無理数計算が必要となって判定効率が悪くなることから、色平面Ｈ０に少なくとも回転変換などのアフィン変換を行った、色相境界線Ｄ１〜Ｄ６の傾きが有理数となる色平面を用いることが望ましい。
【０１１３】
＜６．まとめ＞
以上のように、複合機１では、原稿画像における同一ラインとして、複数のラインセンサ３３によりそれぞれ取得された複数のライン画像が対応する原稿上の位置の相互間で、位置ズレが生じるか否かが、変倍率に基づいてズレ判定部７１により判定される。そして、位置ズレが生じる場合はカラー判定に用いる閾値が閾値変更部７２により変更され、位置ズレが生じない場合と比較してモノクロ画像と判定されやすくなる。このため、カラー判定に関して位置ズレに起因する偽色の影響を低減でき、偽色によってカラー画像と誤判定されることを有効に防止できる。
【０１１４】
＜７．他の実施の形態＞
以上、本発明の実施の形態について説明してきたが、この発明は上記実施の形態に限定されるものではなく様々な変形が可能である。以下では、このような他の実施の形態について説明する。もちろん、以下で説明する形態を適宜に組み合わせてもよい。
【０１１５】
上記実施の形態では、変倍率に基づいて位置ズレが生じるか否かを判定していたが、より一般には、読み取り解像度に応じて位置ズレが生じることから、読み取り解像度に応じて位置ズレが生じるか否か（すなわち、原稿画像において偽色が生じるか否か）を判定してもよい。したがって、原稿を読み取って原稿画像を取得する機能を有する画像読取装置であればどのような装置であっても、上記で説明した技術を適用することが可能である。
【０１１６】
また、閾値は位置ズレ量に応じて変更するようにしてもよい。すなわち、位置ズレ量が大きければ閾値を変更する量も大きくし、位置ズレ量が小さければ閾値を変更する量も小さくするようにしてもよい。図３に示すように、位置ズレ量は、変倍率（より一般には、読み取り解像度）に基づいて予め把握することが可能である。なお、図３に示す変倍率と位置ズレ量との関係は一例にすぎず、特許文献２に示す技術などを用いて位置ズレの補正を行うことで、ある変倍率において実質的に位置ズレが生じないようにすることもできる。
【０１１７】
また、上記実施の形態では、単位データの色の判定にあたってその値がＬａｂに変換されると説明したが、ＹＣｂＣｒ、ＹＩＱ、Ｌｕｖなど、明るさに関するパラメータ（輝度、明度）と、色相及び彩度に関するパラメータ（色差、色度）を有する表色系であれば、Ｌａｂ以外の表色系も利用することが可能である。
【０１１８】
また、位置ズレに起因して発生する偽色に応じて、対応する色相の閾値を変更してもよい。例えば、発生する偽色の面積に応じて、閾値の変更量を変えることもできる。
【図面の簡単な説明】
【０１１９】
【図１】スキャナ部の読取機構の構成を模式的に示す図である。
【図２】遅延部の構成を示す図である。
【図３】変倍率と位置ズレの量との関係を示す図である。
【図４】複合機の外観構成を示す斜視図である。
【図５】複合機の内部構成を示す図である。
【図６】コピー機能の動作に関連する処理部を示すブロック図である。
【図７】カラー判定処理の流れを示す図である。
【図８】単位データの色判定に用いる色平面の一例を示す図である。
【図９】単位データの色判定に用いる色平面の一例を示す図である。
【図１０】単位データの色判定に用いる色平面の一例を示す図である。
【図１１】色平面を取得する手法を説明する図である。
【符号の説明】
【０１２０】
１      複合機
３      スキャナ部
４      プリンタ部
９      原稿
３１      コンタクトガラス
３２      光学系
３３      ラインセンサ
３４      遅延部
７１      ズレ判定部
７２      閾値変更部
【図１】
2008219465.tif 000003
【図２】
2008219465.tif 000004
【図３】
2008219465.tif 000005
【図４】
2008219465.tif 000006
【図５】
2008219465.tif 000007
【図６】
2008219465.tif 000008
【図７】
2008219465.tif 000009
【図８】
2008219465.tif 000010
【図９】
2008219465.tif 000011
【図１０】
2008219465.tif 000012
【図１１】
2008219465.tif 000013